(57)【要約】【課題】部品の点数，組立工数を削減して構造の簡略，コスト低減化が図れるように改良したサーマルリレーの単独設置ユニットを提供する。【解決手段】サーマルリレー１を搭載して盤内に敷設した支持レールに取付ける単独設置ユニットで、リレー本体を載置保持する基台２ａと、該基台の前部から起立する端子台部２ｂとからなる略Ｌ字形の樹脂成形品で構成し、かつ前記基台の裏面側にはレール案内溝２ｅ，およびレール案内溝を挟んでその前後に対峙する係合爪部２ｆ，２ｋを設けてトップハット形レールの鍔部に掛け止めするようにしたものにおいて、前記係合爪部を基台の裏面側に一体成形した上で、レール案内溝に沿い基台一部に薄肉部２ｊを形成して基台に撓み性を付与し、この撓み性を利用して係合爪部を支持レールに掛止させるようにする。【選択図】        図１
2007324541.tif 000002
【特許請求の範囲】
【請求項１】
電磁接触器用のサーマルリレーを搭載して盤内に敷設したレールに取付ける単独設置ユニットであり、リレー本体を載置保持する基台と、該基台の前部から起立する端子台部とからなる略Ｌ字形の樹脂成形品で構成し、かつ前記基台の裏面側にはレール案内溝，およびレール案内溝を挟んでその前後に対峙する係合爪部を設けてトップハット形レールに掛け止めするようにしたものにおいて、
前記係合爪部を基台に一体成形した上で、レール案内溝に沿い基台一部に薄肉部を形成して撓み性を付与したことを特徴とするサーマルリレーの単独設置ユニット。
【請求項２】
請求項１に記載の単独設置ユニットにおいて、基台の後端縁部に着脱操作用の把手を設けたことを特徴とするサーマルリレーの単独設置ユニット。
【発明の詳細な説明】
【技術分野】
【０００１】
本発明は、電磁接触器のオプションユニットとして、電磁接触器用のサーマルリレーを単独で使用する場合に用いる単独設置ユニットの構造に関する。
【背景技術】
【０００２】
電磁接触器のオプションユニットとして、電磁接触器に組合せて使用する付属のサーマルリレー、および該サーマルリレーを単独で使用するための単独設置ユニットがある（例えば非特許文献１参照）。
次に、前記のサーマルリレー、および従来における単独設置ユニットの構造，レールへの取付け方法を図４〜図８で説明する。
【０００３】
まず、サーマルリレーの単体構造を図４に、該サーマルリレーを単独設置ユニットに装着した組立図を図５に示す。まず図４において、サーマルリレー１は、その本体ケース１ａの端面に主回路（負荷側），操作回路の端子１ｂが、また反対側の上部にはロッド状の接続リード１ｃが突き出した構造になる。このサーマルリレー１は、基本的には電磁接触器（図示せず）に組み付けて使用し、この状態で前記端子リード１ｃが電磁接触器の主回路端子に接続される。
【０００４】
また、前記のサーマルリレー１を電磁接触器に組み付けずに単独で使用する場合には、図５（ａ），（ｂ）で示すような単独設置ユニット２にサーマルリレー１を搭載して組立てた上で、図７，図８で示すように電源盤，制御盤などの盤内に敷設した支持レール（トップハット形レール）３に単独設置ユニット２を取付けて使用する。
ここで、単独設置ユニット２は、サーマルリレー１の本体ケースを載置保持する基台２ａと、該基台２ａの前部から起立する端子台部２ｂとからなる略Ｌ字形の樹脂成形品で構成され、その詳細構造は図６（ａ）〜（ｃ）のように、端子台部２ｂの頂部にサーマルリレー１の接続リード１ｃに対応するねじ端子２ｃを、また基台２ａの上面後端部にはサーマルリレー１の本体ケース１ａを嵌め込み支持する凸状台部２ｄを設け、さらに基台２ａの裏面側には前記レール３に掛け止めする次記構造のレール係合部を設けている。
【０００５】
すなわち、レール係合部は基台２ａを横切るようにその裏面側に形成した凹状のレール案内溝２ｅ、該レール案内溝２ｅを挟んでその前部側に左右に分散形成した係合爪部２ｆ，後部側にスライダ２ｇの先端に形成した係合爪部２ｈを対峙させて配置し、スライダ２ｇに組合せた付勢ばね（圧縮コイルばね）２ｉにより係合爪部２ｈをレール案内溝２ｅへ突き出すようにしている。
【０００６】
そして、図７（ａ），（ｂ）に示した支持レール（トップハット形レール）３への取付け状態では、トップハット形レールの両端に張り出した鍔部の間に跨がって前後から前記係合爪部２ｆとスライダ２ｇの係合爪部２ｈが係合して単独設置ユニット２が図示のように掛け止め支持される。
ここで、サーマルリレー１を搭載した単独設置ユニット２を支持レール３に掛止するには、その手順として、図８で示すように最初に支持レール３の一方側の鍔部に係合爪部２ｆを引っ掛け、この状態から基台２ａの後端を図示矢印Ｆ方向に押し込む。これにより、スライダ２ｇの係合爪部２ｈが一旦後退して支持レール３の鍔部を乗り越え、再び突き出し位置に戻って掛止される。また、支持レール３から単独設置ユニット２を取り外す場合には、手動操作によりスライダ２ｇを後退させて係合爪部２ｈの係合を釈放した後に、ユニット全体を斜め上方に持ち上げてレール３から取り外す。なお、このようなレール取付構造は、支持レール３に取付けて使用する電磁接触器などにも広く採用されている（例えば、特許文献１参照）。
【非特許文献１】オンラインカタログ“富士電磁接触器・電磁開閉器”、ｐ２８、サーマルリレー単独設置ユニット、［平成１８年５月１０日検索］、インターネット、＜http://www.fujielectric.co.jp/fcs/jpn/edc/catalog2/AH210q/AH210q_14.pdf＞
【特許文献１】実公平４−３１６８４号公報（図６，図７）
【発明の開示】
【発明が解決しようとする課題】
【０００７】
ところで前記した従来の単独設置ユニットは、支持レール３に取り付けるための掛止手段として、基台２ａの裏面側にレール案内溝２ｅを挟んで係合爪部２ｆと対峙する係合爪付きのスライダ２ｇ，および付勢ばね２ｉの部品を必要とし、このために単独設置ユニットを構成する部品点数，組立工数が増してコスト高となる。
そこで、本発明の目的は、前記したスライダ，付勢ばねの別部品を省略して製品コストの低減化，構造の簡略化が図れるように改良したサーマルリレーの単独設置ユニットを提供することにある。
【課題を解決するための手段】
【０００８】
上記目的を達成するために、本発明によれば、電磁接触器用のサーマルリレーを搭載して盤内に敷設したレールに取付ける単独設置ユニットで、リレー本体を載置保持する基台と、該基台の前部から起立する端子台部とからなる略Ｌ字形の樹脂成形品で構成し、かつ前記基台の裏面側にはレール案内溝，およびレール案内溝を挟んでその前後に対峙する係合爪部を設けてトップハット形レールに掛け止めするようにしたものにおいて、
前記係合爪部を基台の裏面側に一体成形した上で、レール案内溝に沿い基台一部に薄肉部を形成して基台に撓み性を付与した構成とする（請求項１）。
【０００９】
また、前記構成の単独設置ユニットにおいて、支持レールへの簡便な着脱操作性を得るように、基台の後端縁部に着脱操作用の把手を設ける（請求項２）。
【発明の効果】
【００１０】
上記の構成によれば、単独設置ユニットを支持レールに取り付ける場合に、基台の裏面側に形成したレール案内溝を挟んで対峙する前部側の係合爪部を支持レールの一方の鍔部に係合した状態で、基台の後端側を支持レールの上に押しつけるだけで、基台に形成した薄肉部が一時的に撓み変形して後部側の係合爪部が支持レールの鍔部に掛止される。また、単独設置ユニットを支持レールから取り外す場合でも、前記と逆に基台の後端部を持ち上げることにより、係合爪部の係合を簡単に釈放して取り外すこができる。つまり、従来構造の爪付きスライダ、付勢ばねの別部品を省略して、基台に一体成形した係合爪部により簡単なワンタッチ操作で単独設置ユニットを支持レールに掛止保持させることができ、これにより部品点数，組立工数を削減して製品コストの低減化が図れる。
【００１１】
また、基台の後端部に着脱操作用の把手を設けることで、単独設置ユニットの着脱操作が楽に行える。
【発明を実施するための最良の形態】
【００１２】
以下、本発明の実施の形態を図１〜図４に示す実施例に基づいて説明する。なお実施例の図中で図６，図７に対応する部材には同じ符号を付してその説明は省略する。
すなわち、図示実施例の単独設置ユニット（樹脂成形品）２においては、基台２ａから起立する端子台部２ｂ，および端子台部２ｂにねじ端子２ｃを備えた点は従来構造と同様であるが、図１（ａ）〜（ｃ）で示すように基台２ａの裏面側に形成したレール案内溝２ｅを挟んでその前後側に対峙する係合爪部２ｆ，２ｋが基台２ａと一体に形成されている。また、前記のレール案内溝２ｅに沿って基台２ａの上面側一部には薄肉部２ｊが形成されており、さらに基台２ａの後端部から突き出すように把手２ｍが一体に成形されている。なお、係合爪部２ｆ，２ｋ，把手２ｍなどは単独設置ユニット２のモールド工程で同時成形される。
【００１３】
また、図２は単独設置ユニット２にサーマルリレー１を搭載した状態の組立図で、サーマルリレー１は図５と同様に背後側から端子リード１ｃを端子台部２ｂのねじ端子２ｃに差し込み、サーマルリレーの本体底部を端子台部２ｂと基台２ａの後部上面に形成した凸状台部２ｄとの間に嵌め込んでこの位置に載置保持する。
そして、サーマルリレー１を搭載した状態で、単独設置ユニット２を盤内に敷設した支持レール（トップハット形レール）３に取付ける際には、図３（ａ）のように前部側の係合爪部２ｆを支持レール３の前部側鍔部に引っ掛けた上で、ユニットを支持レール３の上に押しつける。これにより、先記した基台２ａの薄肉部２ｊが撓んで基台後端が図示矢印Ｂのように反って後部側の係合爪部２ｋが支持レール３の鍔部を乗り越え、図３（ｂ）のように掛止して取付けが完了する。また、単独設置ユニット２を支持レール３から取り外す場合には、基台２ａの後端に突き出している把手２ｍに指を掛けて矢印Ｂ方向に持ち上げる。これにより、薄肉部２ｊが撓んで後部側の係合爪部２ｋと支持レール３の鍔部との係合が外れ、そのままユニット全体を前方に引き寄せることで簡単に取り外すことができる。
【００１４】
なお、単独設置ユニット２の着脱操作によってユニットに搭載したサーマルリレー１の保持機能が損なわれるおそれはない。
【図面の簡単な説明】
【００１５】
【図１】本発明の実施例による単独設置ユニットの構成図で、（ａ），（ｂ），（ｃ）はそれぞれ側面図，上面図，および裏面図
【図２】図１の単独設置ユニットにサーマルリレーを搭載した組立状態の側面図
【図３】図２の組立体を支持レールに取付ける手順の説明図で、（ａ）は掛止直前の状態、（ｂ）は掛止した状態を表す側面図
【図４】サーマルリレー単体の外形斜視図
【図５】図４のサーマルリレーを従来の単独設置ユニットに搭載した組立状態図で、（ａ），（ｂ）はそれぞれ側面図，および平面図
【図６】図５に示した単独設置ユニットの詳細構造図で、（ａ），（ｂ），（ｃ）はそれぞれ上面図，側面図，および底面図
【図７】図５の組立体を支持レールに取付けた状態を表す図で、（ａ），（ｂ）はそれぞれ側面図，および平面図
【図８】図７の組立体を支持レールに取付ける手順の説明図
【符号の説明】
【００１６】
１    サーマルリレー
２    単独設置ユニット
２ａ  基台
２ｂ  端子台部
２ｃ  ねじ端子
２ｅ  レール案内溝
２ｆ，２ｋ  係合爪部
２ｊ  薄肉部
２ｍ  把手
【図１】
2007324541.tif 000003
【図２】
2007324541.tif 000004
【図３】
2007324541.tif 000005
【図４】
2007324541.tif 000006
【図５】
2007324541.tif 000007
【図６】
2007324541.tif 000008
【図７】
2007324541.tif 000009
【図８】
2007324541.tif 000010